(57)【特許請求の範囲】
【請求項１】
光源ランプの光を所定の対象物に均一に及び／または集光して照射するための光学系を含んだ照明光学ユニットにおいて、
前記光源ランプからの出射光を反射して集束光にするリフレクタと、
前記集束光を発散させることにより略平行光束にする凹レンズと
を備え、前記凹レンズからの出射光が前記光学系に入射され、
前記光学系は、前記光源ランプからの光を前記対象物に均一に照射するための第１及び第２のフライアイレンズを含んでおり、
前記第１のフライアイレンズのレンズセルの頂点の位置が、前記凹レンズの収差に応じて、前記第１のフライアイレンズのレンズセルからの出射光が平行度を高めて前記第２のフライアイレンズにおける対応するレンズセルに入射するように、前記第１のフライアイレンズのレンズセルの開口中心から前記照明光学ユニットの光軸寄りの方向に偏心していることを特徴とする照明光学ユニット。
【請求項２】
光源ランプと、
個々の画素に対応してマイクロレンズを設けた透過型液晶パネルと、
前記光源ランプの光を前記透過型液晶パネルに均一に及び／または集光して照射するための光学系を含んだ照明光学ユニットと
を含む液晶プロジェクタにおいて、
前記光源ランプからの出射光を反射して集束光にするリフレクタと、
前記集束光を発散させることにより略平行光束にする凹レンズと
を備え、前記凹レンズからの出射光が前記光学系に入射され、
前記光学系は、前記光源ランプからの光を前記対象物に均一に照射するための第１及び第２のフライアイレンズを含んでおり、
前記第１のフライアイレンズのレンズセルの頂点の位置が、前記凹レンズの収差に応じて、前記第１のフライアイレンズのレンズセルからの出射光が平行度を高めて前記第２のフライアイレンズにおける対応するレンズセルに入射するように、前記第１のフライアイレンズのレンズセルの開口中心から前記照明光学ユニットの光軸寄りの方向に偏心していることを特徴とする液晶プロジェクタ。
【発明の詳細な説明】
【０００１】
【発明の属する技術分野】
本発明は、照明光学ユニット, 液晶プロジェクタ及び液晶プロジェクタの製造方法に関する。
【０００２】
【従来の技術】
透過型液晶パネルを光変調素子として用いた液晶プロジェクタには、画素の有効面積部分への入射光量を増やすことを目的として、液晶パネルの表面に個々の画素に対応してマイクロレンズ（以下‘ＭＬ’とも表記する）を設けたものが存在する。
【０００３】
図１は、こうしたＭＬ付き液晶パネルを用いた液晶プロジェクの照明光学ユニットの主要部の従来の構成例を、ＭＬなしの液晶パネルを用いた液晶プロジェクタの照明光学ユニットと対比して示すものである。
【０００４】
ＭＬなしの液晶パネルを用いた液晶プロジェクタの照明光学ユニットでは、図１Ａのように、光源ランプ１１からの出射光が、パラボラ状のリフレクタ１２で反射されて平行光束にされた後、第１及び第２のフライアイレンズ１３及び１４（液晶パネルに均一に光を照射するために光源ランプ１１の中心部分の光と周辺部分の光とを重畳するインテグレータ）で均一化され、メインコンデンサレンズ１５, チャンネルコンデンサレンズ１６で集光されて、ＭＬなしの液晶パネル１７に照射される。
【０００５】
フライアイレンズ１３からチャンネルコンデンサレンズ１６までの光学系は、液晶パネル１７の画素の有効面積部分への入射光量を略最大とする開口数を有し、且つ、リフレクタ１２からの平行光束のビーム径と略等しい入射瞳径を有するように設計・製作されている。
【０００６】
他方、ＭＬ付き液晶パネルを用いた液晶プロジェクタでは、図１Ｂのように、図１Ａと同じ光源ランプ１１からの出射光が、図１Ａと同じリフレクタ１２で反射されて平行光束化された後、第１及び第２のフライアイレンズ１８及び１９で均一化され、メインコンデンサレンズ２０, チャンネルコンデンサレンズ２１で集光されて、ＭＬ付き液晶パネル２２（図１Ａの液晶パネル１７と同じ構造の液晶パネルの表面にＭＬを設けたもの）に照射される。
【０００７】
フライアイレンズ１８からチャンネルコンデンサレンズ２１までの光学系は、図１Ａのフライアイレンズ１３からチャンネルコンデンサレンズ１６までの光学系よりも小さな開口数を有するように設計・製作されている。
【０００８】
その理由は次の通りである。図１Ａの照明光学ユニットを有する液晶プロジェクタで液晶パネル１７をそのままＭＬ付き液晶パネル２２に入れ替えると、ＭＬで屈折した光がＭＬ付き液晶パネル２２の画素の有効面積部分以外の部分に向かうことにより、却って有効面積部分への入射光量が減少することがある。このようにＭＬでの屈折光が有効面積部分以外の部分に向かうことを抑制するためには、ＭＬ付き液晶パネル２２への入射光の最大錐角を小さくすることが必要である。そこで、フライアイレンズからチャンネルコンデンサレンズまでの光学系を小さな開口数を有するように設計・製作することにより、この最大錐角を小さくしている。
【０００９】
このように、ＭＬ付き液晶パネルを用いる従来の液晶プロジェクタでは、照明光学ユニット中の、光源ランプからの光を液晶パネルに均一に及び／または集光して照射するための光学系（図１Ｂではフライアイレンズ１８からチャンネルコンデンサレンズ２１までの光学系）として、ＭＬなしの液晶パネルを用いる液晶プロジェクタにおけるよりも小さな開口数を有するものを設計・製作していた。
【００１０】
【発明が解決しようとする課題】
しかし、こうした従来の技術には、次の（ａ）〜（ｃ）のような不都合があった。
【００１１】
（ａ）ＭＬ付き液晶パネルを用いる液晶プロジェクタでは、照明光学ユニット中の、光源ランプからの光を液晶パネルに均一に及び／または集光して照射するための光学系の開口数が小さくなることにより、この光学系のＦナンバが大きくなる。具体的には、ＭＬなしの液晶パネルを用いる液晶プロジェクタの照明光学ユニット中のこの光学系のＦナンバが２．２〜２．５程度であるとすると、ＭＬ付き液晶パネルを用いる液晶プロジェクタの照明光学ユニット中のこの光学系のＦナンバは３以上になる。
【００１２】
そのため、ＭＬ付き液晶パネルを用いる液晶プロジェクタでは、図１Ｂにも表れているように照明光学ユニットの光路長が長くなるので、照明光学ユニットの外形寸法の大型化を招き、ひいては液晶プロジェクタ全体の大型化を招いてしまう。
【００１３】
（ｂ）ＭＬ付き液晶パネルを用いる液晶プロジェクタとＭＬなしの液晶パネルを用いる液晶プロジェクタとの両者を製造する場合、照明光学ユニット中のこの光学系として、互いに開口数の異なるものを両者で別々に設計・製作しなければならない。したがって、両者の光学系を構成する光学部品は、同じ機能を持つもの同士（例えば図１Ａフライアイレンズ１３と図１Ｂのフライアイレンズ１８）でも全く仕様が異なるものになる。
【００１４】
そのため、この光学系の光学部品を両者で共通化することができないので、部品コストの削減が困難である。
【００１５】
（ｃ）ＭＬ付き液晶パネルを用いる液晶プロジェクタとＭＬなしの液晶パネルを用いる液晶プロジェクタとの両者を製造する場合、照明光学ユニット中のこの光学系の配置作業も両者で全く別々に行わなければならない。そのため、製造作業の効率化が困難である。
【００１６】
本発明は、上述の点に鑑み、ＭＬ付き液晶パネルを用いる液晶プロジェクタの照明光学ユニットに関するこうした従来の不都合を解消することを課題としてなされたものである。
【００１７】
【課題を解決するための手段】
この課題を解決するために、本出願人は、光源ランプの光を所定の対象物に均一に及び／または集光して照射するための光学系を含んだ照明光学ユニットにおいて、光源ランプからの出射光を反射して集束光にするリフレクタと、この集束光を発散させることにより略平行光束にする凹レンズとを備え、この凹レンズからの出射光がこの光学系に入射され、この光学系は、光源ランプからの光をこの対象物に均一に照射するための第１及び第２のフライアイレンズを含んでおり、この第１のフライアイレンズのレンズセルの頂点の位置を、この凹レンズの収差に応じて、第１のフライアイレンズのレンズセルからの出射光が平行度を高めて第２のフライアイレンズにおける対応するレンズセルに入射するように、第１のフライアイレンズのレンズセルの開口中心からこの照明光学ユニットの光軸寄りの方向に偏心させたものを提案する。
【００１８】
この照明光学ユニットを発明した経緯は、次のとおりである。光源ランプからの出射光を、リフレクタで反射されて集束光にし、光学部品で略平行光束にした後、この光源ランプの光を対象物に均一に及び／または集光して照射するための光学系に入射するようにすれば、この光学系に、光源ランプからの出射光がそのまま略平行光束にされる場合よりもビーム径の小さい略平行光束が入射する。
【００１９】
その結果、対象物には、光源ランプからの出射光がそのまま略平行光束にされる場合よりも入射光の最大錐角の小さい光が照射される。したがって、この光学系の入射瞳径がこの光学系に入射する略平行光束のビーム径よりも大きい場合（すなわち、この光学系がこの大きい入射瞳径によって決定される開口数を有する場合）でも、対象物にとって、この光学系の見かけ上の開口数が小さくなる。
【００２０】
このように、この照明光学ユニットでは、光が照射される対象物にとって、光源ランプの光をこの対象物に均一に及び／または集光して照射するための光学系の見かけ上の開口数が小さくなる。
【００２１】
したがって、この対象物にとって入射光の最大錐角の小さいことが必要である場合にも、この光学系として、大きい開口数を有するものを設計・製作してよいことになる。
【００２２】
これにより、この光学系のＦナンバを小さくして、照明光学ユニットの光路長を短くすることができるようになる。
【００２３】
また、入射光の最大錐角の小さいことが必要な対象物用の照明光学ユニットと入射角の最大錐角の大きいことが必要な対象物用の照明光学ユニットとの両者を製造する場合、この光学系として大きな開口数を有するものだけを設計・製作して両者で共通化することができるようになる。
【００２４】
したがって、例えばＭＬ付き液晶パネルを用いた液晶プロジェクタに適用すれば、前述の（ａ）や（ｂ）のような不都合が解消されるようになる。
【００３２】
ところで、このようにリフレクタからの集束光を略平行光束にするためには、例えば凹レンズ（発散レンズ）のような光学部品でこの集束光を発散させればよい。
【００３３】
しかし、凹レンズのように入射光を発散させる光学部品を設けただけでは、その光学部品の収差を原因として、リフレクタからの集束光があまり平行度の高い光束にならないことがある。
【００３４】
光源ランプの光を所定の対象物に均一に及び／または集光して照射するための光学系が、光源ランプからの光を対象物に均一に照射するための第１及び第２のフライアイレンズ（インテグレータ）を含んでいる場合には、あまり平行度の高くない光束が第１のフライアイレンズのレンズセルの開口部に入射すると、第１のフライアイレンズのレンズセルからの出射光のうち、第２のフライアイレンズの対応するレンズセルの開口部に入射する光量が減少することにより、対象物に照射される光量が減少してしまうことがある。
【００３６】
こうした光学系を含む照明光学ユニットにおいて、リフレクタからの集束光を発散させる光学部品を設けた場合にも、その光学部品の収差を原因として、第１のフライアイレンズのレンズセルからの出射光のうち偏光変換素子の開口部に入射する光量が少なくなることにより、対象物に照射される光量が減少してしまうことがある。
【００３７】
こうした収差を原因とする対象物への照射光量の減少を防止して光源ランプからの光の利用効率を高める方法としては、非球面レンズ等の新たな光学部品を設けて光の方向を変えることにより、第２のフライアイレンズのレンズセルの開口部や偏光変換素子の開口部への入射光量を増加させるという方法もある。
【００３８】
しかし、この方法では、照明光学ユニットの光学部品の数が増加してしまうとともに、照明光学ユニットの光路長が長くなるので照明光学ユニットの外形寸法の大型化を招いてしまう。
【００３９】
そこで、本発明に係る照明光学ユニットでは、光源ランプの光を所定の対象物に均一に及び／または集光して照射するための光学系に、集束光を凹レンズで発散させて入射させるとともに、この光学系に含まれる第１及び第２のフライアイレンズのうちの第１のフライアイレンズのレンズセルの頂点の位置を、この凹レンズの収差に応じて、第１のフライアイレンズのレンズセルからの出射光が平行度を高めて第２のフライアイレンズにおける対応するレンズセルに入射するように、第１のフライアイレンズのレンズセルの開口中心からこの照明光学ユニットの光軸寄りの方向に偏心させている（換言すれば、第１のフライアイレンズに非球面レンズ等としての機能を兼ね備えさせている。）
【００４２】
これにより、光路長を短くすることや光学系を共通化することができるとともに、集束光を発散させる凹レンズの収差を原因とする対象物への照射光量の減少を、光学部品数の増加や照明光学ユニットの外形寸法の大型化を招くことなく防止して、光源ランプからの光の利用効率を高めることができる。
【００４８】
次に、本出願人は、光源ランプと、個々の画素に対応してマイクロレンズを設けた透過型液晶パネルと、光源ランプの光を透過型液晶パネルに均一に及び／または集光して照射するための光学系を含んだ照明光学ユニットとを含む液晶プロジェクタにおいて、光源ランプからの出射光を反射して集束光にするリフレクタと、この集束光を発散させることにより略平行光束にする凹レンズとを備え、この凹レンズからの出射光がこの光学系に入射され、この光学系は、光源ランプからの光をこの対象物に均一に照射するための第１及び第２のフライアイレンズを含んでおり、この第１のフライアイレンズのレンズセルの頂点の位置を、この凹レンズの収差に応じて、第１のフライアイレンズのレンズセルからの出射光が平行度を高めて第２のフライアイレンズにおける対応するレンズセルに入射するように、第１のフライアイレンズのレンズセルの開口中心からこの照明光学ユニットの光軸寄りの方向に偏心させたものを提案する。
【００４９】
この液晶プロジェクタによれば、前述の本発明に係る照明光学ユニットについて説明したのと全く同じ理由から、照明光学ユニットの光路長を短くすることや光学系を共通化することができるとともに、集束光を発散させる凹レンズの収差を原因とする対象物への照射光量の減少を、光学部品数の増加や照明光学ユニットの外形寸法の大型化を招くことなく（したがって液晶プロジェクタ全体の大型化を招くことなく）防止して、光源ランプからの光の利用効率を高めることができる。
【００５５】
【発明の実施の形態】
以下、ＭＬ付き液晶パネルを用いた液晶プロジェクタに本発明を適用した例について、図面を用いて具体的に説明する。
【００５６】
図２は、本発明に係る照明光学ユニットと関連して考案した照明光学ユニットの主要部の一構成例を示すものであり、図１と共通する部分には同一の符号を付している。
【００５７】
この照明光学ユニットでは、光源ランプ１１が、反射面が楕円面状をした楕円リフレクタ１に着脱可能に取り付けられている。楕円リフレクタ１は、光源ランプ１１からの出射光を反射して集束光にする。
【００５８】
楕円リフレクタ１よりもＭＬ付き液晶パネル２２側には、凹レンズ２が配置されている。凹レンズ２は、楕円リフレクタ１からの集束光を略平行光束にするためにこの集束光を発散させる。
【００５９】
凹レンズ２よりもＭＬ付き液晶パネル２２寄りには図１Ａに示したのと同じフライアイレンズ１３及び１４, メインコンデンサレンズ１５, チャンネルコンデンサレンズ１６が順に配置されており、凹レンズ２からの略平行光束がフライアイレンズ１３に入射する。
【００６０】
このフライアイレンズ１３からチャンネルコンデンサレンズ１６までの光学系は、やはり、ＭＬ付き液晶パネル２２からＭＬを除いたものと同じ構造の液晶パネル（図１Ａの液晶パネル１７と同じもの）の画素の有効面積部分への入射光量を略最大とする開口数を有し、且つ、図１Ａのリフレクタ１２からの平行光束のビーム径と略等しい入射瞳径を有するように設計・製作されている。
【００６１】
したがって、この照明光学ユニットでは、図１Ｂに示したようなＭＬ付き液晶パネルを用いた液晶プロジェクタの従来の照明光学ユニットよりも光路長が短くなっている（図１Ａの照明光学ユニットよりも凹レンズ２の部分だけ光路長が長くなっている）。
【００６２】
なお、フライアイレンズ１３の入射瞳径と凹レンズ２からの略平行光束のビーム径との差は、フライアイレンズ１３の個々のレンズ（レンズセル）の直径の偶数倍（図では２倍）に略等しくされている。したがって、フライアイレンズ１３中の最も外縁のレンズセルには全く光が入射せず残りのレンズセルには全面に光が入射する。これにより、フライアイレンズ１３のレンズセルに部分的に光が入射してフライアイレンズ１３及び１４のインテグレータとしての機能が損なわれることが防止されている。
【００６３】
この照明光学ユニットによってＭＬ付き液晶パネル２２に光が照射される様子は、次の通りである。
【００６４】
光源ランプ１１からの出射光は、楕円リフレクタ１で反射されて集束光にされた後、凹レンズ２で略平行光束にされてフライアイレンズ１３に入射する。したがって、フライアイレンズ１３には、図１Ａにおけるように光源ランプ１１からの光がそのまま略平行光束にされる場合よりもビーム径の小さい略平行光束が入射する。
【００６５】
ＭＬ付き液晶パネル２２には、このビーム径の小さい略平行光束が、フライアイレンズ１３及び１４で均一化され、メインコンデンサレンズ１５, チャンネルコンデンサレンズ１６で集光されて照射される。
【００６６】
その結果、ＭＬ付き液晶パネル２２には、図１Ａの液晶パネル１７に照射される光よりも入射光の最大錐角の小さい光が照射される。すなわち、ＭＬ付き液晶パネル２２にとって、フライアイレンズ１３からチャンネルコンデンサレンズ１６までの光学系の見かけ上の開口数が小さくなっている。
【００６７】
これにより、ＭＬでの屈折光がＭＬ付き液晶パネル２２の画素の有効面積部分以外の部分に向かうことが抑制されて、有効面積部分への入射光量が増加するようになっている。
【００６８】
このように、ＭＬ付き液晶パネル２２の画素の有効面積部分への入射光量を増加させるという要求を満たしつつ、照明光学ユニットの光路長を短くして、照明光学ユニットの外形寸法を小型化することができるようになっている。
【００６９】
また、ＭＬ付き液晶パネル２２を用いた液晶プロジェクタとＭＬなしの液晶パネル（図１Ａの液晶パネル１７）を用いた液晶プロジェクタとの両者を製造する場合、照明光学ユニット中のフライアイレンズ１３からチャンネルコンデンサレンズ１６までの光学系を両者で共通化することができるので、部品コストを削減することができる。
【００７０】
図３は、図２の照明光学ユニットを適用した液晶プロジェクタの構成例を示すものであり、図２と共通する部分には同一の符号を付している。
【００７１】
光源ランプ１１からの出射光が、楕円リフレクタ１, 凹レンズ２でそれぞれ集束光, 略平行光束にされ、フライアイレンズ１３及び１４, メインコンデンサレンズ１５を経てダイクロイックミラー３１に入射する。
【００７２】
そして、ダイクロイックミラー３１で反射された青色光が、ミラー３２, チャンネルコンデンサレンズ３３を経て青色表示用のＭＬ付き液晶パネル４１（Ｂ）に照射される。
【００７３】
また、ダイクロイックミラー３１を透過した光のうちの緑色光が、ダイクロイックミラー３４で反射され、チャンネルコンデンサレンズ３５を経て緑色表示用のＭＬ付き液晶パネル４１（Ｇ）に入射する。
【００７４】
また、ダイクロイックミラー３４を透過した赤色光が、リレーレンズ３６, ミラー３７, リレーレンズ３８, ミラー３９, チャンネルコンデンサレンズ４０を経て赤色表示用のＭＬ付き液晶パネル４１（Ｒ）に入射する。
【００７５】
ＭＬ付き液晶パネル４１（Ｒ）, ４１（Ｇ）, ４１（Ｂ）を透過した赤色光, 緑色光, 青色光は、ダイクロイックプリズム４２で合成されて、投射レンズ４３に入射する。
【００７６】
この液晶プロジェクタでも、フライアイレンズ１３からチャンネルコンデンサレンズ３３, ３５, ４０までの光学系は、ＭＬ付き液晶パネル４１（Ｒ）, ４１（Ｇ）, ４１（Ｂ）からＭＬを除いたものと同じ構造の液晶パネルの画素の有効面積部分への入射光量を略最大とする開口数を有し、且つ、図１Ａのリフレクタ１２からの平行光束のビーム径と略等しい入射瞳径を有するように設計・製作されている。
【００７７】
この液晶プロジェクタでは、図２の照明光学ユニットについて説明したのと全く同じ理由から、ＭＬ付き液晶パネル４１（Ｒ）, ４１（Ｇ）, ４１（Ｂ）の画素の有効面積部分への入射光量を増加させるという要求を満たしつつ、照明光学ユニットの光路長を短くしてその外形寸法を小型化することができるとともに、この液晶プロジェクタとＭＬなしの液晶パネルを用いる液晶プロジェクタとの両者を製造する場合にフライアイレンズ１３からチャンネルコンデンサレンズ３３, ３５, ４０までの光学系を両者の照明光学ユニットで共通化して部品コストを削減することができる。
【００７８】
次に、図４は、本発明に係る照明光学ユニットと関連して考案した照明光学ユニットの主要部の別の構成例を示すものであり、図２と共通する部分には同一の符号を付している。
【００７９】
この照明光学ユニットでは、図２の凹レンズ２が設けられていないとともに、図２のフライアイレンズ１３に替えて、凹レンズ状に湾曲した凹状フライアイレンズ３が設けられており、楕円リフレクタ１からの集束光がこの凹状フライアイレンズ３に入射する。
【００８０】
凹状フライアイレンズ３は、楕円リフレクタ１からの集束光を略平行光束にするためにこの集束光を発散させるとともに、図２のフライアイレンズ１３と同様にインテグレータの構成要素として機能する。
【００８１】
凹状フライアイレンズ３の入射瞳径と凹状フライアイレンズ３に入射する集束光のビーム径との差は、やはり凹状フライアイレンズ３のレンズセルの直径の偶数倍（図では２倍）に略等しくされている。
【００８２】
この照明光学ユニットのそれ以外の構成は、図２の照明光学ユニットと同じである。したがって、この照明光学ユニットでは、図２の照明光学ユニットよりも光路長がさらに短くなっている（図１Ａの照明光学ユニットと光路長が略等しくなっている）。
【００８３】
この照明光学ユニットでは、光源ランプ１１からの出射光が、楕円リフレクタ１で反射されて集束光にされて凹状フライアイレンズ３に入射する。そして、凹状フライアイレンズ３で略平行光束にされるとともに凹状フライアイレンズ３及びフライアイレンズ１４で均一化される。
【００８４】
その結果、ＭＬ付き液晶パネル２２には、やはり図１Ａの液晶パネル１７に照射される光よりも入射光の最大錐角の小さい光が照射される。すなわち、ＭＬ付き液晶パネル２２にとって、凹状フライアイレンズ３からチャンネルコンデンサレンズ１６までの光学系の見かけ上の開口数が小さくなっている。
【００８５】
これにより、やはりＭＬ付き液晶パネル２２の画素の有効面積部分への入射光量を増加させるという要求を満たしつつ、照明光学ユニットの光路長を図２の照明光学ユニットよりもさらに短くして、照明光学ユニットの外形寸法を小型化することができるようになっている。
【００８６】
また、フライアイレンズ３が、楕円リフレクタ１からの集束光を略平行光束にする光学部品として兼用されるので、照明光学ユニットの光学部品の数を削減することができる。
【００８７】
また、ＭＬ付き液晶パネル２２を用いた液晶プロジェクタとＭＬなしの液晶パネルを用いた液晶プロジェクタとの両者を製造する場合、照明光学ユニット中のフライアイレンズ１４からチャンネルコンデンサレンズ１６までの光学系を両者で共通化して部品コストを削減することができる。
【００８８】
図５は、図４の照明光学ユニットを適用した液晶プロジェクタの構成例を示すものであり、図３及び図４と共通する部分には同一の符号を付している。
【００８９】
この液晶プロジェクタでも、図４の照明光学ユニットについて説明したのと全く同じ理由から、ＭＬ付き液晶パネル４１（Ｒ）, ４１（Ｇ）, ４１（Ｂ）の画素の有効面積部分への入射光量を増加させるという要求を満たしつつ、照明光学ユニットの光路長を短くしてその外形寸法を小型化することができ、照明光学ユニットの光学部品の数を削減することができ、且つ、この液晶プロジェクタとＭＬなしの液晶パネルを用いる液晶プロジェクタとの両者を製造する場合にフライアイレンズ１４からチャンネルコンデンサレンズ３３, ３５, ４０までの光学系を両者の照明光学ユニットで共通化して部品コストを削減することができる。
【００９０】
次に、図６は、本発明に係る照明光学ユニットと関連して考案した照明光学ユニットの主要部のさらに別の構成例を示すものであり、図２と共通する部分には同一の符号を付している。
【００９１】
この照明光学ユニットでは、図２の凹レンズ２が設けられていないとともに、凹レンズ状に湾曲した凹状カバーガラス４が、楕円リフレクタ１に固定して取り付けられている。この凹状カバーガラス４は、楕円リフレクタ１からの集束光を略平行光束にするためにこの集束光を発散させる。フライアイレンズ１３には、この凹状カバーガラス４からの略平行光束が入射する。
【００９２】
フライアイレンズ１３の入射瞳径と凹状カバーガラス４からの略平行光束のビーム径との差は、やはりフライアイレンズ１３のレンズセルの直径の偶数倍（図では２倍）に略等しくされている。
【００９３】
この照明光学ユニットのそれ以外の構成は、図２の照明光学ユニットと同じである。したがって、この照明光学ユニットでも、図２の照明光学ユニットよりも光路長がさらに短くなっている（図１Ａの照明光学ユニットと光路長が略等しくなっている）。
【００９４】
この照明光学ユニットでは、光源ランプ１１からの出射光が、楕円リフレクタ１で反射されて集束光にされた後、凹状カバーガラス４で略平行光束にされてフライアイレンズ１３に入射する。
【００９５】
その結果、ＭＬ付き液晶パネル２２には、やはり図１Ａの液晶パネル１７に照射される光よりも入射光の最大錐角の小さい光が照射される。すなわち、ＭＬ付き液晶パネル２２にとって、フライアイレンズ１３からチャンネルコンデンサレンズ１６までの光学系の見かけ上の開口数が小さくなっている。
【００９６】
これにより、やはりＭＬ付き液晶パネル２２の画素の有効面積部分への入射光量を増加させるという要求を満たしつつ、照明光学ユニットの光路長を図２の照明光学ユニットよりもさらに短くして、照明光学ユニットの外形寸法を小型化することができるようになっている。
【００９７】
また、ＭＬ付き液晶パネル２２を用いた液晶プロジェクタとＭＬなしの液晶パネルを用いた液晶プロジェクタとの両者を製造する場合、やはり照明光学ユニット中のフライアイレンズ１３からチャンネルコンデンサレンズ１６までの光学系を両者で共通化して部品コストを削減することができる。
【００９８】
図７は、図６の照明光学ユニットを適用した液晶プロジェクタの構成例を示すものであり、図３及び図６と共通する部分には同一の符号を付している。
【００９９】
この液晶プロジェクタでも、図６の照明光学ユニットについて説明したのと全く同じ理由から、ＭＬ付き液晶パネル４１（Ｒ）, ４１（Ｇ）, ４１（Ｂ）の画素の有効面積部分への入射光量を増加させるという要求を満たしつつ、照明光学ユニットの光路長を短くしてその外形寸法を小型化することができるとともに、この液晶プロジェクタとＭＬなしの液晶パネルを用いる液晶プロジェクタとの両者を製造する場合にフライアイレンズ１３からチャンネルコンデンサレンズ３３, ３５, ４０までの光学系を両者の照明光学ユニットで共通化して部品コストを削減することができる。
【０１００】
次に、図８は、本発明に係る照明光学ユニットの主要部の構成例を示すものであり、図２と共通する部分には同一の符号を付している。
【０１０１】
この照明光学ユニットでは、フライアイレンズ５１が設けられている。フライアイレンズ５１は、図２のフライアイレンズ１３と同様にインテグレータの構成要素として機能する。
【０１０２】
フライアイレンズ５１の入射瞳径とフライアイレンズ５１に入射する集束光のビーム径との差は、やはりフライアイレンズ５１のレンズセルの直径の偶数倍（図では２倍）に略等しくされている。
【０１０３】
ただし、図８には表れていないが、フライアイレンズ５１は、レンズセルの頂点の位置がレンズセルの開口中心から偏心している。
【０１０４】
図９は、この照明光学ユニットの凹レンズ２からフライアイレンズ１４までの部分を拡大して示した図である。凹レンズ２は楕円リフレクタ１からの集束光を略平行光束にするために設けられたものであるが、凹レンズ２を設けただけでは、凹レンズ２の収差を原因として、同図に示すように、楕円リフレクタ１からの集束光があまり平行度の高い光束にならないことがある（図ではこの収差を実際よりも誇張して描いている）。この場合には、フライアイレンズ５１には、あまり平行度の高くない光束が入射することになる。
【０１０５】
フライアイレンズ５１は、レンズセル５１ａの頂点の位置をこの凹レンズ２の収差に応じてそのレンズセル５１ａの開口中心から偏心させることにより、フライアイレンズ５１からの出射光の平行度を高めるようにされている。
【０１０６】
図９ではフライアイレンズ５１の側面を描いているが、図１０に示すように、照明光学ユニットの光軸（図面に垂直な軸）の上下方向に位置するレンズセル５１ａの頂点Ｔの位置は上下方向に偏心し、この光軸の左右方向に位置するレンズセル５１ａの頂点Ｔの位置は左右方向に偏心し、この光軸の斜め方向に位置するレンズセル５１ａの頂点Ｔの位置は上下・左右の両方向に偏心している。
【０１０７】
また、基本的には、フライアイレンズ５１の中心部に近いレンズセル５１ａよりもフライアイレンズ５１の外縁に近いレンズセル５１ａのほうが頂点の位置の偏心量が大きくなっている。
【０１０８】
この照明光学ユニットのそれ以外の構成は、図２の照明光学ユニットと同じである。
【０１０９】
インテグレータを含む照明光学ユニットにおいて、あまり平行度の高くない光束がインテグレータの第１のフライアイレンズ（図２ではフライアイレンズ１３）のレンズセルの開口部に入射すると、第１のフライアイレンズのレンズセルからの出射光のうち、第２のフライアイレンズ（図２, 図８のフライアイレンズ１４）における対応するレンズセルの開口部に入射する光量が減少することにより、ＭＬ付き液晶パネル２２に照射される光量が減少してしまうことがある。
【０１１０】
こうした収差を原因とするＭＬ付き液晶パネル２２への照射光量の減少を防止して光源ランプ１１からの光の利用効率を高める方法としては、非球面レンズ等の新たな光学部品を設けて光の方向を変えることにより、第２のフライアイレンズのレンズセルの開口部への入射光量を増加させるという方法もある。
【０１１１】
しかし、この方法を採った場合には、照明光学ユニットの光学部品の数が増加してしまうとともに、照明光学ユニットの光路長が長くなるので照明光学ユニットの外形寸法の大型化を招いてしまう。
【０１１２】
そこで、この照明光学ユニットでは、第１のフライアイレンズであるフライアイレンズ５１のレンズセル５１ａの頂点の位置を、凹レンズ２の収差に応じてそのレンズセル５１ａの開口中心から偏心させることにより、フライアイレンズ５１からの出射光の平行度を高めるようにしている（換言すれば、第１のフライアイレンズに非球面レンズ等としての機能を兼ね備えさせている。）
【０１１３】
この照明光学ユニットでは、図２の照明光学ユニットにおけるのと全く同様にして、ＭＬ付き液晶パネル２２の画素の有効面積部分への入射光量を増加させるという要求を満たしつつ、照明光学ユニットの光路長を短くして、照明光学ユニットの外形寸法を小型化することができるようになっている。
【０１１４】
また、ＭＬ付き液晶パネル２２を用いた液晶プロジェクタとＭＬなしの液晶パネルを用いた液晶プロジェクタとの両者を製造する場合、照明光学ユニット中のフライアイレンズ１４からチャンネルコンデンサレンズ１６までの光学系を両者で共通化して部品コストを削減することができる。
【０１１５】
また、凹レンズ２の収差を原因とするフライアイレンズ１４への入射光量の減少（ＭＬ付き液晶パネル２２への照射光量の減少）を、光学部品数の増加や照明光学ユニットの外形寸法の大型化を招くことなく防止して、光源ランプ１１からの光の利用効率を高めることができる。
【０１１６】
図１１は、図８の照明光学ユニットを適用した液晶プロジェクタ（本発明に係る液晶プロジェクタ）の構成例を示すものであり、図２及び図３と共通する部分には同一の符号を付している。
【０１１７】
この液晶プロジェクタでも、図８の照明光学ユニットについて説明したのと全く同じ理由から、ＭＬ付き液晶パネル４１（Ｒ）, ４１（Ｇ）, ４１（Ｂ）の画素の有効面積部分への入射光量を増加させるという要求を満たしつつ、照明光学ユニットの光路長を短くしてその外形寸法を小型化することができ、照明光学ユニットの光学部品の数を削減することができ、この液晶プロジェクタとＭＬなしの液晶パネルを用いる液晶プロジェクタとの両者を製造する場合にフライアイレンズ１４からチャンネルコンデンサレンズ３３, ３５, ４０までの光学系を両者の照明光学ユニットで共通化して部品コストを削減することができ、且つ、凹レンズ２の収差を原因とするフライアイレンズ１４への入射光量の減少（ＭＬ付き液晶パネル２２への照射光量の減少）を光学部品数の増加や照明光学ユニットの外形寸法の大型化を招くことなく（したがって液晶プロジェクタ全体の大型化を招くことなく）防止して光源ランプ１１からの光の利用効率を高めることができる。
【０１１８】
次に、図１２は、本発明に係る照明光学ユニットと関連して考案した照明光学ユニットの主要部の別の構成例を示すものであり、図８と共通する部分には同一の符号を付している。
【０１１９】
この照明光学ユニットでは、図２のフライアイレンズ１３に替えてフライアイレンズ５２が設けられており、楕円リフレクタ１からの集束光がフライアイレンズ５２に入射する。
【０１２０】
フライアイレンズ５２は、図２のフライアイレンズ１３と同様にインテグレータの構成要素として機能する。
【０１２１】
フライアイレンズ５２の入射瞳径とフライアイレンズ５２に入射する集束光のビーム径との差は、やはりフライアイレンズ５２のレンズセルの直径の偶数倍（図では２倍）に略等しくされている。
【０１２２】
ただし、図１２には表れていないが、フライアイレンズ５２は、レンズセルの頂点の位置がレンズセルの開口中心から偏心している。
【０１２３】
また、この照明光学ユニットでは、フライアイレンズ１４とメインコンデンサレンズ１５との間に、偏光変換素子６１が配置されている。
【０１２４】
図１３は、この照明光学ユニットの凹レンズ２から偏光変換素子６１までの部分を拡大して示した図である。偏光変換素子６１は、複数のプリズム６１ａを貼り合せたものであり、貼合せ面には、フライアイレンズ１４からの出射光のうちＰ偏光を透過させてＳ偏光を反射する偏光分離膜６１ｂと、偏光分離膜６１ｂで反射されたＳ偏光を反射して偏光変換素子６１から出射させる反射面６１ｃとが交互に形成されている。
【０１２５】
偏光変換素子６１の出射側の面には、偏光分離膜６１ｂを透過したＰ偏光をＳ偏光に変換して出射させる１／２波長板６１ｄが貼り付けられている。また、偏光変換素子６１の入射側の面には、フライアイレンズ１４からの出射光が直接反射面６１ｃに入射することを防止するための遮蔽膜６１ｅが貼り付けられている。
【０１２６】
偏光変換素子６１の開口部（入射側の面のうち遮蔽膜６１ｅが貼り付けられていない部分）のピッチは、フライアイレンズ５２及び１４のレンズセルの開口部のピッチとは一致しておらず、それよりも大きくなっている。
【０１２７】
図８の照明光学ユニットのフライアイレンズ５１ではフライアイレンズ５１からの出射光の平行度を高めるように個々のレンズセル５１ａの頂点の位置が偏心しているが、フライアイレンズ５２では、個々のレンズセル５２ａの頂点の位置が、そのレンズセル５２ａからの出射光の方向が偏光変換素子６１の開口部に向くように偏心している。したがって、必ずしも、フライアイレンズ５２の中心部に近いレンズセル５２ａよりもフライアイレンズ５２の外縁に近いレンズセル５２ａのほうが頂点の位置の偏心量が大きいということはない。
【０１２８】
この照明光学ユニットのそれ以外の構成は、図２の照明光学ユニットと同じである。
【０１２９】
インテグレータ及び偏光変換素子を含む照明光学ユニットにおいて、あまり平行度の高くない光束がインテグレータの第１のフライアイレンズ（図２ではフライアイレンズ１３）のレンズセルの開口部に入射すると、インテグレータから偏光変換素子の開口部に入射する光量が減少することにより、ＭＬ付き液晶パネル２２に照射される光量が減少してしまうことがある。
【０１３０】
こうした収差を原因とするＭＬ付き液晶パネル２２への照射光量の減少を防止して光源ランプ１１からの光の利用効率を高める方法として、非球面レンズ等の新たな光学部品を設けて光の方向を変える方法を採った場合には、やはり、照明光学ユニットの光学部品の数が増加してしまうとともに、照明光学ユニットの光路長が長くなるので照明光学ユニットの外形寸法の大型化を招いてしまう。
【０１３１】
そこで、この照明光学ユニットでは、第１のフライアイレンズであるフライアイレンズ５２のレンズセル５２ａの頂点の位置を、そのレンズセル５２ａからの出射光の方向が偏光変換素子６１の開口部に向くように偏心させている。
【０１３２】
この照明光学ユニットでは、図２の照明光学ユニットにおけるのと全く同様にして、ＭＬ付き液晶パネル２２の画素の有効面積部分への入射光量を増加させるという要求を満たしつつ、照明光学ユニットの光路長を短くして、照明光学ユニットの外形寸法を小型化することができるようになっている。
【０１３３】
また、ＭＬ付き液晶パネル２２を用いた液晶プロジェクタとＭＬなしの液晶パネルを用いた液晶プロジェクタとの両者を製造する場合、照明光学ユニット中のフライアイレンズ１４からチャンネルコンデンサレンズ１６までの光学系を両者で共通化して部品コストを削減することができる。
【０１３４】
また、凹レンズ２の収差を原因とする偏光変換素子６１への入射光量の減少（ＭＬ付き液晶パネル２２への照射光量の減少）を、光学部品数の増加や照明光学ユニットの外形寸法の大型化を招くことなく防止して、光源ランプ１１からの光の利用効率を高めることができる。
【０１３５】
図１４は、図１２の照明光学ユニットを適用した液晶プロジェクタの構成例を示すものであり、図２及び図３と共通する部分には同一の符号を付している。
【０１３６】
この液晶プロジェクタでも、図１２の照明光学ユニットについて説明したのと全く同じ理由から、ＭＬ付き液晶パネル４１（Ｒ）, ４１（Ｇ）, ４１（Ｂ）の画素の有効面積部分への入射光量を増加させるという要求を満たしつつ、照明光学ユニットの光路長を短くしてその外形寸法を小型化することができ、照明光学ユニットの光学部品の数を削減することができ、この液晶プロジェクタとＭＬなしの液晶パネルを用いる液晶プロジェクタとの両者を製造する場合にフライアイレンズ１４からチャンネルコンデンサレンズ３３, ３５, ４０までの光学系を両者の照明光学ユニットで共通化して部品コストを削減することができ、且つ、凹レンズ２の収差を原因とする偏光変換素子６１への入射光量の減少（ＭＬ付き液晶パネル２２への照射光量の減少）を光学部品数の増加や照明光学ユニットの外形寸法の大型化を招くことなく（したがって液晶プロジェクタ全体の大型化を招くことなく）防止して光源ランプ１１からの光の利用効率を高めることができる。
【０１３７】
最後に、図２の照明光学ユニットを例にとって、ＭＬ付き液晶パネルを用いる液晶プロジェクタとＭＬなしの液晶パネルを用いる液晶プロジェクタとの両者を製造する場合の製造方法について説明する。
【０１３８】
図１５はこの製造方法を示すものであり、ＭＬ付き液晶パネルを用いる液晶プロジェクタを製造する場合にも、ＭＬなしの液晶パネルを用いる液晶プロジェクタを製造する場合にも、まず、図１５Ａのように、図２のフライアイレンズ１３からチャンネルコンデンサレンズ１６までの光学系（前述のように、図１Ａの液晶パネル１７の画素の有効面積部分への入射光量を略最大とする開口数を有し、且つ、図１Ａのリフレクタ１２からの平行光束のビーム径と略等しい入射瞳径を有するように設計・製作されたもの）を配置する。
【０１３９】
そして、ＭＬ付き液晶パネルを用いる液晶プロジェクタを製造する場合には、図１５Ｂのように、光源ランプ１１を楕円リフレクタ１（図２）に取り付けて、この楕円リフレクタ１と凹レンズ２（図２）とをフライアイレンズ１３の前段に配置する。これにより、図２の照明光学ユニットの組立てが完了する。
【０１４０】
他方、ＭＬなしの液晶パネルを用いる液晶プロジェクタを製造する場合には、図１５Ｃのように、光源ランプ１１をリフレクタ１２（図１Ａ）に取り付けて、このリフレクタ１２をフライアイレンズ１３の前段に配置する。これにより、図１Ａの照明光学ユニットの組立てが完了する。
【０１４１】
この製造方法によれば、ＭＬ付き液晶パネルを用いる液晶プロジェクタとＭＬなしの液晶パネルを用いる液晶プロジェクタとの両者を製造する場合、照明光学ユニットの組立て作業中の、フライアイレンズ１３からチャンネルコンデンサレンズ１６までの光学系の配置作業を両者で共通化することができるので、製造作業を効率化することができるようになる。
【０１４２】
なお、以上の例では、照明光学ユニット中のフライアイレンズ（インテグレータ）からチャンネルコンデンサレンズまでの光学系の入射瞳径を、フライアイレンズに入射する光束のビーム径よりも大きくしている（例えば図２では、フライアイレンズ１３からチャンネルコンデンサレンズ１６までの光学系の入射瞳径を、図１Ａのリフレクタ１２からの平行光束のビーム径と略等しくしている）。しかし、これに限らず、この光学系の入射瞳径をこのビーム径と略等しくする（図２では、フライアイレンズ１３からチャンネルコンデンサレンズ１６までの光学系の入射瞳径を、楕円リフレクタ１からの平行光束のビーム径と略等しくする）ようにしてもよい。
【０１４３】
それにより、ＭＬ付き液晶パネルを用いる液晶プロジェクタの照明光学ユニットを一層小型化することができるようになる。（ただし、ＭＬ付き液晶パネルを用いる液晶プロジェクタとＭＬなしの液晶パネルを用いる液晶プロジェクタとの両者を製造する場合にフライアイレンズからチャンネルコンデンサレンズまでの光学系を両者の照明光学ユニットで共通化することはできなくなる。）
【０１４４】
また、図２, 図８, 図１２の例ではリフレクタからの集束光を略平行光束にするために凹レンズを用いているが、凹レンズ以外の光学部品であって入射光を発散させるもの（例えばホログラフィ素子）を用いてもよい。
【０１４５】
また、図８, 図１２の例では図２の照明光学ユニットの第１フライアイレンズのレンズセルの頂点の位置を偏心させたが、図４や図６の照明光学ユニットの第１フライアイレンズのレンズセルの頂点の位置も同様にして偏心させてよい。
【０１４６】
また、図１２の例では凹レンズ２の収差を前提としているが、凹レンズ２に収差が存在しない場合や、凹レンズ２のような入射光を発散させる光学部品を設けない照明光学ユニットにおいても、第１フライアイレンズのレンズセルの頂点の位置を、そのレンズセルからの出射光の方向が偏光変換素子の開口部に向くように偏心させるようにしてよい。
【０１４７】
また、図１５では図２の照明光学ユニットを例にとって製造方法を示したが、図８や図１２の照明光学ユニットについても、ＭＬ付き液晶パネルを用いる液晶プロジェクタとＭＬなしの液晶パネルを用いる液晶プロジェクタとの両者を製造する場合に、図１５に示したのと同様にして、照明光学ユニットの組立て作業中の、フライアイレンズ１４からチャンネルコンデンサレンズ１６までの光学系の配置作業を両者で共通化してよい。
【０１４８】
あるいは、図１Ａに示した照明光学ユニットにおいて光源ランプ１１からの光がリフレクタ１２自体の収差を原因としてあまり平行度の高い光束にならない場合には、図８や図１２の照明光学ユニットについて、ＭＬ付き液晶パネルを用いる液晶プロジェクタとＭＬなしの液晶パネルを用いる液晶プロジェクタとの両者を製造する場合に、照明光学ユニットの組立て作業中の、フライアイレンズ５１や５２からチャンネルコンデンサレンズ１６までの光学系の配置作業を両者で共通化してもよい。
【０１４９】
また、以上の例ではフライアイレンズからチャンネルコンデンサレンズまでの光学系を含む照明光学ユニットを設けた液晶プロジェクタに本発明を適用している。しかし、これに限らず、フライアイレンズ以外の光学部品から成るインテグレータ（例えば回折型のインテグレータ）からチャンネルコンデンサレンズまでの光学系を含む照明光学ユニットにも本発明を適用してよい。また、図２〜図７の照明光学ユニット, 液晶プロジェクタは、インテグレータを含まない照明光学ユニットを設けた液晶プロジェクタにも適用してよい。
【０１５０】
また、以上の例では液晶プロジェクタに本発明を適用しているが、本発明に係る照明光学ユニットは、液晶パネル以外の光変調素子を用いたプロジェクタや、プロジェクタ以外の装置であって照明光学ユニットを設けているものにも本発明を適用してよい。
【０１５１】
また、本発明は、以上の例に限らず、本発明の要旨を逸脱することなく、その他様々の構成をとりうることはもちろんである。
【０１５２】
【発明の効果】
以上のように、本発明に係る照明光学ユニットによれば、光が照射される対象物にとって、光源ランプの光をこの対象物に均一に及び／または集光して照射するための光学系の見かけ上の開口数を小さくすることができるので、対象物にとって入射光の最大錐角の小さいことが必要である場合にも、この光学系のＦナンバを小さくして、照明光学ユニットの光路長を短くすることができるという効果が得られる。
【０１５３】
また、入射光の最大錐角の小さいことが必要な対象物用の照明光学ユニットと入射光の最大錐角の大きいことが必要な対象物用の照明光学ユニットとの両者を製造する場合、この光学系として大きな開口数を有するものだけを設計・製作して両者で共通化することができるという効果が得られる。
【０１５４】
また、集束光を発散させる凹レンズの収差を原因とする対象物への照射光量の減少を、光学部品数の増加や照明光学ユニットの外形寸法の大型化を招くことなく防止して、光源ランプからの光の利用効率を高めることができるという効果が得られる。
【０１５５】
次に、本発明に係る液晶プロジェクタによれば、マイクロレンズ付きの透過型液晶パネルを用いた液晶プロジェクタにおいて、液晶パネルの画素の有効面積部分への入射光量を増加させるという要求を満たしつつ、照明光学ユニットの光路長を短くして、照明光学ユニットの外形寸法を小型化する（したがって液晶プロジェクタ全体を小型化する）ことができるという効果が得られる。
【０１５６】
また、マイクロレンズ付きの透過型液晶パネルを用いた液晶プロジェクタとマイクロレンズなしの透過型液晶パネルを用いた液晶プロジェクタとの両者を製造する場合、照明光学ユニット中の光源ランプの光を液晶パネルに均一に及び／または集光して照射するための光学系を両者で共通化することができるので、部品コストを削減することができるという効果が得られる。
【０１５７】
また、集束光を発散させる凹レンズの収差を原因とする対象物への照射光量の減少を、光学部品数の増加や照明光学ユニットの外形寸法の大型化を招くことなく（したがって液晶プロジェクタ全体の大型化を招くことなく）防止して、光源ランプからの光の利用効率を高めることができるという効果が得られる。
【図面の簡単な説明】
【図１】  ＭＬ付き液晶パネルを用いた液晶プロジェクタの照明光学ユニットの従来の構成例を、ＭＬなしの液晶パネルを用いた液晶プロジェクタの照明光学ユニットと対比して示す図である。
【図２】  本発明に係る照明光学ユニットと関連して考案した照明光学ユニットの主要部の構成例を示す図である。
【図３】  図２の照明光学ユニットを適用した液晶プロジェクタの構成例を示す図である。
【図４】  本発明に係る照明光学ユニットと関連して考案した照明光学ユニットの主要部の別の構成例を示す図である。
【図５】  図４の照明光学ユニットを適用した液晶プロジェクタの構成例を示す図である。
【図６】  本発明に係る照明光学ユニットと関連して考案した照明光学ユニットの主要部の別の構成例を示す図である。
【図７】  図６の照明光学ユニットを適用した液晶プロジェクタの構成例を示す図である。
【図８】  本発明に係る照明光学ユニットの主要部の構成例を示す図である。
【図９】  図８の照明光学ユニットの凹レンズからフライアイレンズまでの部分の拡大図である。
【図１０】  図８のレンズセル５１ａの頂点の位置の偏心の方向を示す図である。
【図１１】  図８の照明光学ユニットを適用した液晶プロジェクタの構成例を示す図である。
【図１２】  本発明に係る照明光学ユニットと関連して考案した照明光学ユニットの主要部の構成例を示す図である。
【図１３】  図１２の照明光学ユニットの凹レンズから偏光変換素子までの部分の拡大図である。
【図１４】  図１２の照明光学ユニットを適用した液晶プロジェクタの構成例を示す図である。
【図１５】  本発明に係る液晶プロジェクタの製造方法を例示する図である。
【符号の説明】
１  楕円リフレクタ、  ２  凹レンズ、  ３  凹状フライアイレンズ、  ４  凹状カバーガラス、  １２  リフレクタ、  １３, １４, １８, １９, ５１, ５２  フライアイレンズ、  １５, ２０  メインコンデンサレンズ、  １６, ２１, ３３, ３５, ４０  チャンネルコンデンサレンズ、  １７  ＭＬなしの液晶パネル、  ２２, ４１（Ｒ）, ４１（Ｇ）, ４１（Ｂ）  ＭＬ付き液晶パネル, ５１ａ, ５２ｂ  フライアイレンズのレンズセル、  ６１  偏光変換素子
【図１】
0003972680.tif 000002
【図２】
0003972680.tif 000003
【図３】
0003972680.tif 000004
【図４】
0003972680.tif 000005
【図５】
0003972680.tif 000006
【図６】
0003972680.tif 000007
【図７】
0003972680.tif 000008
【図８】
0003972680.tif 000009
【図９】
0003972680.tif 000010
【図１０】
0003972680.tif 000011
【図１１】
0003972680.tif 000012
【図１２】
0003972680.tif 000013
【図１３】
0003972680.tif 000014
【図１４】
0003972680.tif 000015
【図１５】
0003972680.tif 000016